(57)【特許請求の範囲】
【請求項１】
開口部を有するケースと、
前記開口部から所定量突出した突出位置と前記開口部から没して前記ケース内に格納された格納位置との間を移動可能なよう前記ケースに支持された端子部と、
前記開口部の少なくとも一部を回動動作により開閉する端子カバーと、
前記端子カバーを前記回動動作が可能なよう連結したスライダと、
前記端子部の前記移動により前記スライダを前記端子部の移動方向とは反対方向に移動させる方向転換リンク部と、
を備え、
前記端子部の前記突出方向への移動に伴い、前記方向転換リンク部が前記スライダを前記格納方向へ移動させると共に前記端子カバーが回動して前記開口部を開放し、
前記端子部の前記格納方向への移動に伴い、前記方向転換リンク部が前記スライダを前記突出方向へ移動させると共に前記端子カバーが回動して前記開口部の少なくとも一部を閉蓋するよう構成されている端子カバー開閉構造。
【請求項２】
前記端子部の前記突出方向への移動に伴い、前記端子カバーが前記回動の後に直動するよう構成されていることを特徴とする請求項１記載の端子カバー開閉構造。
【請求項３】
前記端子部が前記突出位置にあるときに、前記端子カバーの末端部が前記ケースから突出しない位置にあることを特徴とする請求項１又は請求項２記載の端子カバー開閉構造。
【請求項４】
請求項１〜３のいずれか１項に記載の端子カバー開閉構造と、
前記端子カバー開閉構造を収納し、前記開口部に対応した外面に設けられ前記端子部が前記移動により出没する窓部を有する筐体と、
前記端子部を介して電気信号の外部への送信又は外部からの受信を行う電子回路部と、
を備えたことを特徴とする電子機器。
【発明の詳細な説明】
【技術分野】
【０００１】
本発明は、端子カバー開閉構造、及びそれを備えた電子機器に係り、特に、筐体に設けられた端子を外部に露出させた使用位置と内部に格納させた格納位置との間で出没させる出没動作と、その動作に連動して端子カバーを開閉する開閉動作と、を実行可能な、端子カバー開閉構造、及びそれを備えた電子機器に関する。
【背景技術】
【０００２】
電子機器は、通常、その外面に外部の機器と接続するための端子を備えている。
電子機器によっては、これらの端子の不使用時に、埃などが侵入するのを防止するために、また、筐体の外形から突出した部分がなくなるように、端子を筐体内部に格納させると共に端子が出入りする開口部を開閉する端子カバーを設けて端子が格納された不使用状態で開口部を塞ぐ構成を有するものがある。その技術の一例が特許文献１に開示されている。
【先行技術文献】
【特許文献】
【０００３】
【特許文献１】特開平８−２２４３７号公報
【発明の概要】
【発明が解決しようとする課題】
【０００４】
ところで、特許文献１には、端子カバーである開閉蓋（１４）の開閉動作と端子（コネクター１８）の出没動作との連携について技術思想が開示されてなく、実現の際には開閉動作と出没動作とを指でそれぞれ行わなければならないものであることが推察される。
従って、端子の出没動作と端子カバーの開閉動作との双方を容易に行えることが望まれる。
また、特許文献１に記載された技術では、開閉蓋の開閉方向が装置の厚さ方向になっているので、装置の薄型化には困難が伴う。
従って、電子機器の薄型化が可能な開閉蓋の開閉構造が望まれる。
【０００５】
そこで、本発明が解決しようとする課題は、端子の出没動作と端子カバーの開閉動作とを容易に実行でき、薄型化が可能な端子カバーの開閉構造、及びそれを備えた電子機器を提供することにある。
【課題を解決するための手段】
【０００６】
上記の課題を解決するために、本願発明は手段として次の構成を有する。
１）  開口部(11kk)を有するケース(11)と、
前記開口部(11kk)から所定量突出した突出位置と前記開口部(11kk)から没して前記ケース(11)内に格納された格納位置との間を移動可能なよう前記ケース(11)に支持された端子部(12)と、
前記開口部(11kk)の少なくとも一部を回動動作により開閉する端子カバー(5)と、
前記端子カバー(5)を前記回動動作が可能なよう連結したスライダ(10)と、
前記端子部(12)の前記移動により前記スライダ(10)を前記端子部(12)の移動方向とは反対方向に移動させる方向転換リンク部(9)と、
を備え、
前記端子部(12)の前記突出方向への移動に伴い、前記方向転換リンク部(9)が前記スライダ(10)を前記格納方向へ移動させると共に前記端子カバー(5)が回動して前記開口部(11kk)を開放し、
前記端子部(12)の前記格納方向への移動に伴い、前記方向転換リンク部(9)が前記スライダ(10)を前記突出方向へ移動させると共に前記端子カバー(5)が回動して前記開口部(11kk)の少なくとも一部を閉蓋するよう構成されている端子カバー開閉構造である。
２）  前記端子部(12)の前記突出方向への移動に伴い、前記端子カバー(5)が前記回動の後に直動するよう構成されていることを特徴とする１）に記載の端子カバー開閉構造である。
３）  前記端子部(12)が前記突出位置にあるときに、前記端子カバー(5)の末端部(5m)が前記ケース(11)から突出しない位置にあることを特徴とする１）又は２）に記載の端子カバー開閉構造である。
４）  １）〜３）のいずれかに記載の端子カバー開閉構造と、
前記端子カバー開閉構造を収納し、前記開口部(11kk)に対応した外面(1b)に設けられ前記端子部(12)が前記移動により出没する窓部(4)を有する筐体(1)と、
前記端子部(12)を介して電気信号の外部への送信又は外部からの受信を行う電子回路部(DK)と、
を備えたことを特徴とする電子機器(50)である。
【発明の効果】
【０００７】
本発明によれば、端子の出没動作と端子カバーの開閉動作とを容易に実行でき、薄型化が可能になる、という効果が得られる。
【図面の簡単な説明】
【０００８】
【図１】本発明の撮像装置の実施例を説明するための第１の斜視図である。
【図２】本発明の撮像装置の実施例を説明するための第２の斜視図である。
【図３】本発明の撮像装置の実施例を説明するための第３の斜視図である。
【図４】本発明の端子カバー開閉構造の実施例を説明するための平面図である。
【図５】本発明の端子カバー開閉構造の実施例を説明するための斜視図である。
【図６】本発明の端子カバー開閉構造の実施例における第１の要部部材を説明するための斜視図である。
【図７】本発明の端子カバー開閉構造の実施例における第１の要部部材を説明するための他の斜視図である。
【図８】本発明の端子カバー開閉構造の実施例における第２の要部部材を説明するための斜視図である。
【図９】本発明の端子カバー開閉構造の実施例における第２の要部部材を説明するための他の斜視図である。
【図１０】本発明の端子カバー開閉構造の実施例における第３の要部部材を説明するための斜視図である。
【図１１】本発明の端子カバー開閉構造の実施例における第３の要部部材を説明するための他の斜視図である。
【図１２】本発明の端子カバー開閉構造の実施例における第４の要部部材を説明するための斜視図である。
【図１３】本発明の端子カバー開閉構造の実施例における第５の要部部材を説明するための斜視図である。
【図１４】本発明の端子カバー開閉構造の実施例における第６の要部部材を説明するための斜視図である。
【図１５】本発明の端子カバー開閉構造の実施例における要部組み付け状態を説明するための第１の斜視図である。
【図１６】本発明の端子カバー開閉構造の実施例における腰部組み付け状態を説明するための第２の斜視図である。
【図１７】本発明の端子カバー開閉構造の実施例における動作を説明するための第１の斜視図である。
【図１８】本発明の端子カバー開閉構造の実施例における動作を説明するための第２の斜視図である。
【図１９】本発明の端子カバー開閉構造の実施例における動作を説明するための第３の斜視図である。
【発明を実施するための形態】
【０００９】
本発明の実施の形態を、好ましい実施例により図１〜図１９を用いて説明する。
【００１０】
本発明の電子機器の実施例として、撮像装置５０を説明する。
図１に示すように、撮像装置５０は、使用状態で上下方向を長手とするいわゆる縦型とされている。
筐体１の正面１ａにおける上方には、撮像レンズ２が配設されている。撮像レンズ２による結像を撮像素子２Ａにより電気信号に変換するなどして、撮像装置５０は静止画像又は動画像を撮影することができる。
撮像装置５０は、筐体１の右側面１ｂに設けられたボタン４１や他の図示しない操作子をユーザが操作することにより電源のＯＮ／ＯＦＦなどの動作が制御される。
撮影した画像は、電子回路部ＤＫにより所定の出力信号とされて、筐体１の下方側に配設（図１では格納）された端子３を介して外部に出力される。
実施例において端子３はＵＳＢ（Universal Serial Bus）端子とされている。
【００１１】
撮像装置５０は、端子３を出没可能とする端子出没機構を有している。端子３は、右側面１ｂの下方に貫通孔として設けられた窓部４から出没する。
端子３が内部に格納された状態で、窓部４は開閉蓋である端子カバー５により塞がれている。
【００１２】
筐体１の底面１ｂｔには、図１では形状を図示しないノブ６が設けられている。
ノブ６は、指などにより、撮像装置５０の左右方向に所定のストロークで往復移動可能とされている。
ノブ６の往復移動に伴い、端子３は窓部４から出没するように移動する。
【００１３】
図２は、図１に対し、端子３が出没動作の途中の位置にある状態を示している。
図２では、端子３はその先端側の一部が外部に露出し、端子カバー５は上方に跳ね上げられるように回動途中の位置にある。
【００１４】
図３は、図２に対し、端子３の出没動作における出方向の動作が完了した位置での状態を示している。
図３では、端子３は接続に必要な部分が完全に外部に露出し、端子カバー５は回動により窓部４を開状態にすると共に、回動後、直動的に引き込まれて完全に筐体１の内部に格納されている。
すなわち、筐体１から突出しているのは端子３のみとなっている。
【００１５】
図１〜図３で示される、端子３の出没動作と端子カバー５の開閉動作とは、連動して行われる。
次に、その連動動作及び連動構造について詳述する。実施例では、この連動動作を実行する構造を、端子３及び端子カバー５を含む端子カバー開閉ユニットＫＵとしてユニット化している。
【００１６】
＜端子カバー開閉ユニット＞
図４は、端子カバー開閉ユニットＫＵ（以下、単に開閉ユニットＫＵとも称する）の天面側から見た平面図であり、図５は図４の矢視ＹＳ方向斜め上から見た斜視図である。
図４は、端子３を突出させ端子カバー５を収納した状態を示し、図５は、端子３を格納させ端子カバー５により端子３の前面を塞いだ状態を示す。さらに、図５は、内部構造を容易に把握できるようにトップカバー７を外した状態で示している。
尚、図４、図５共、端子３を図の右方に突出させる向きで記載しているので、図の手前側が、図１〜図３で示す撮像装置５０の正面側となる。
【００１７】
この開閉ユニットＫＵは、撮像装置５０の筐体内における下方に配設されている。
開閉ユニットＫＵは、次の（１）〜（６）の部材及び付勢部材１３，１４（後述する）を有して構成されている。
以下に説明する各図において、理解容易のため、端子３の挿入先頭側をＡとし、撮像装置５０に格納された際の天側をＴとして、各矢印で方向を示す。
【００１８】
（１）スリーブ１１（図６及び図７参照）。
スリーブ１１はＰＯＭ（ポリアセタール樹脂）で形成される。図６が天面側、図７が底面側から見た斜視図である。スリーブ１１は開閉ユニットＫＵのケースとして機能する。
スリーブ１１は、両端が開放された断面が略矩形の筒状に形成されている。天面１１ｔにおける後方側（図５の右方）には開閉ユニットＫＵを別部材に固定するための固定鍔１１ａを有する。固定鍔１１ａには固定のための孔１１ａ１が形成されている。
また、天面１１ｔの中央付近には、略円錐台状のボス１１ｆが形成されている。ボス１１ｆの根元直径は例えばφ１．８ｍｍである。
ボス１１ｆの近傍には、リブ１１ｇが立設されている。
ボス１１ｆ及びリブ１１ｇと右側面（図６の奧側）との間には、筒の延伸方向に沿って延在するスリット１１ｈが形成されている。
底面１１ｂｔにおける右側面側（図７の手前側）に偏った位置には、端子３の先端側となる端部に開口し、このスリーブ１１の軸方向に沿う幅Ｗ１なるスリット１１ｂが形成されている。
スリット１１ｂは、開口側と最奥側との２箇所に、所定の軸方向長さＬ１で幅がＷ２に拡張した幅拡張部１１ｂ１，１１ｂ２が形成されている。
【００１９】
（２）ＵＳＢ端子体１２（図８及び図９参照）。
ＵＳＢ端子体１２（端子部１２とも称する）は、主として金属材で形成された接続部１２Ｔと樹脂材で形成されたケーシング部１２Ｃとを有する。接続部１２Ｔは、ＵＳＢ規格に合致した形状等を有し、長手方向長さＬが約１４ｍｍとされる。図８が前方天面側、図９が後方底面側から見た斜視図である。以下の説明において、ＵＳＢ端子体１２の端子としての挿抜方向を軸方向とも称する。
ケーシング部１２Ｃの天面１２ｔにおける右側面（図８の奧側）の後方側には、円筒状の丸ボス１２ａが形成されている。丸ボス１２ａは、スリーブ１１のスリット１１ｈ（図５及び図６参照）に係合する。
ケーシング部１２Ｃの背面１２ｈ側からは、一端側が端子３に接続されたリード１２ｂが導出されている。図８、図９では途中で切断した状態を示している。リード１２ｂの他端側は、例えば撮像装置５０の所定のコネクタに接続される。
ケーシング部１２Ｃの底面１２ｂｔにおける背面１２ｈ側には、スリット１２ｄが設けられ、このスリット１２ｄにより軸方向に対し直交する方向に延在する弾性片部１２ｅが形成されている。弾性片部１２ｅは、支点１２ｅ１を中心に図９の両矢印ＤＲ１方向に可撓性を有する。
弾性片部１２ｅの先端側には、底面１２ｂｔに対して突出するノブ部８が形成されている。
ノブ部８は、軸方向に延在し複数の指掛かり６ａが形成されたノブ６と、ノブ６と弾性片部１２ｅの表面１２ｅｓとを連結する幅Ｗ２なる首部８ｂと、首部８ｂと表面１２ｅｓとの入隅部分に形成され軸方向長さＬ２なる係合段部８ｃと、を有して形成されている。
ノブ６は、開閉ユニットＫＵが撮像装置５０に組み込まれた状態で撮像装置５０の底面１ｂｔから露出し、ユーザにより指などで操作可能な部位となる。
【００２０】
（３）開閉蓋である端子カバー５（図１０及び図１１参照）。
端子カバー５はＡＢＳ樹脂（アクリロニトリル・ブタジエン・スチレン樹脂）で形成される。
図１０に示される外観意匠面には、機能表示として「ＵＳＢ／ＤＣ」が刻印表示される。図１１に示される裏面側には、後述するスライダ１０の棒状軸部１０ａ，１０ｂが嵌合する同芯の嵌合孔５ａ１，５ａ２を有する軸嵌合部５ｂと、端子３の出動作時に端子３の先端を当接させるリブ５ｃと、が形成されている。
【００２１】
（４）ロッド９（図１２参照）。
ロッド９はＰＯＭや摺動性を改良したＡＢＳ樹脂などで形成される。
ロッド９は、貫通孔９ａを有する略筒状の支点部９ｂと、支点部９ｂから径方向に所定の長さで延出するレバー部９ｃと、支点部９ｂに対してレバー部９ｃの延出方向とは逆方向に延出するリンク部９ｄと、を有して形成されている。
リンク部９ｄは、貫通孔９ａの中心を通る直線上に長手を有する長孔部９ｅと、フック状に突出するフック部９ｆと、先端を球面として突出形成された当接部９ｇと、を有する。
貫通孔９ａは、スリーブ１１のボス１１ｆに回動可能に嵌合する。
ロッド９は、後述のように、ＵＳＢ端子体１２の移動方向とスライダ１０の移動方向とを逆方向に連動させる方向転換リンク部として機能する。
【００２２】
（５）スライダ１０（図１３参照）。
スライダ１０はＰＯＭや摺動性を改良したＡＢＳ樹脂などで形成される。
スライダ１０は、略Ｌ字状に形成されている。
Ｌ字状の一辺の外端面には、その一辺に沿う回動軸線ＣＬ１を中心軸として２つの棒状軸部１０ａ，１０ｂが形成されている。
他の一辺の端部側には、円柱状に突出する係合ボス１０ｃが形成されている。
また、スライダ１０は、先端が球面として係合ボス１０ｃと同方向に突出形成された２つの当接部１０ｄ１，１０ｄ２を有している。
【００２３】
（６）トップカバー７（図１４参照）。
トップカバー７はＰＯＭで形成される。
トップカバー７は、略矩形板状の基部７ｋと、基部７ｋの一辺縁から折り曲げられた側部７ｓとを有して形成されている。
基部７ｋには、このトップカバー７が開閉ユニットＫＵに組み付けられた状態で他の部材に固定するための固定鍔７ａと、内側の部材との干渉を避けるための開口部７ｂ,７ｃが形成されている。また、開口部７ｄは、トップカバー７を組み付ける際に相手の爪を嵌合させるためのスナップフィット用孔として設けられている。
【００２４】
次に、各部材の組み付け及び移動動作について説明する。
【００２５】
スリーブ１１の内部には、ＵＳＢ端子体１２が軸方向に所定のストロークで移動可能に収納される。詳細を図１５，図１６，及び図１９を主に用いて説明する。各図は、内部構造が明らかとなるように、トップカバー７を外した状態で示している。
【００２６】
図１５は、スリーブ１１の内部にＵＳＢ端子体１２が組み付けられた状態を示す。端子３は格納位置にある。
図１６は、図１５の上方側からみた平面図（底面側）である。
【００２７】
ＵＳＢ端子体１２のケーシング部１２Ｃの幅は、スリーブ１１の内幅よりわずかに小さく形成されているので、ＵＳＢ端子体１２はスリーブ１１の内部をほとんどガタなく軸方向に移動可能とされている。
その際、ノブ部８の首部１２ｂの幅Ｗ２（図９参照）が、スリーブ１１のスリット１１ｂの幅Ｗ１（図７参照）より小さく形成されているので、首部１２ｂはスリット１１ｂに係合しスリット１１ｂ内を移動できる。
【００２８】
また、弾性片部１２ｅは、その弾性によりノブ部８を図１５の上方に向け付勢するようになっている。ここで、係合段部８ｃの長さＬ２（図９参照）がスリット１１ｂにおける幅拡張部１１ｂ１，１１ｂ２の長さＬ１よりも短く設定されているので、係合段部８ｃが幅拡張部１１ｂ１，１１ｂ２のそれぞれに嵌合するようになっている。すなわち、ＵＳＢ端子体１２は、係合段部８ｃが幅拡張部１１ｂ１，１１ｂ２のそれぞれに係合し、それぞれの位置でロック状態となる。
具体的には、幅拡張部１１ｂ１に係合した状態が端子３の格納位置、幅拡張部１１ｂ２に係合した状態が端子３の使用位置（突出位置）とされる。
【００２９】
ユーザがノブ６を、図１５の矢印ＤＲ２方向に所定ストローク分押し込むことで、係合段部８ｃと幅拡張部１１ｂ１，１１ｂ２との係合が解除される。
更にユーザがノブ６を軸方向（図の両端矢印ＤＲ３方向）に移動させることで、ＵＳＢ端子体１２を両者間（ストロークＬ３：図１５参照）で移動させることができる。
ロックを解除するために必要なノブ６の押し込みストロークは例えば０．６ｍｍに設定される。
【００３０】
ＵＳＢ端子体１２の軸方向移動に伴い、以下に説明するリンク構造により端子カバー３が開閉し格納される。ここでは、端子３が格納位置にある状態を基本として説明する。
【００３１】
図５，図１１，及び図１３に示すように、端子カバー３の嵌合孔５ａ１，５ａ２にスライダ１０の棒状軸部１０ｂ，１０ａがそれぞれ挿入されて、端子カバー３は、回動軸線ＣＬ１まわりに回動自在とされている。
また、図５に示される付勢手段であるねじりコイルバネ１３により、通常端子カバー３はスリーブ１１の開口端を閉じる方向（図５の矢印ＤＲ４方向）に付勢されている。
スライダ１０は、スリーブ１１の天面１１ｔ上を軸方向に往復移動可能とされている。
スライダ１０の係合ボス１０ｃは、ロッド９の長孔部９ｆに係合しており、ロッド９は、その支点部９ｂの貫通孔９ａがスリーブ１１のボス１１ｆに嵌め込まれているので、ロッド９がボス１１ｆのまわりに回動するに伴い、スライダ１０は軸方向に直線移動する。
さらに図５に示すように、ロッド９の支点部９ｂの外側に、ねじりコイルバネ１４が嵌め込まれている。ねじりコイルバネ１４の一対の腕は、それぞれスリーブ１１のリブ１１ｇとロッド９のフック部９ｆに引っ掛けられており、ロッド９を図５の時計回り方向に付勢している。
【００３２】
＜端子格納位置＞（主として図５参照）
すなわち、基本位置となる端子格納位置で、スライダ１０はねじりコイルバネ１４の付勢力により図５の右方向に付勢される。
従って、端子カバー５はスリーブ１１の一方の開口部１１ｋｋ（図６参照）における開口端１１ｋの少なくとも一部を塞ぎ、開閉ユニットＫＵが撮像装置５０に搭載された状態で、端子カバー５は窓部４を塞ぐようになっている。
一方、ＵＳＢ端子体１２の丸ボス１２ａは、スリーブ１１のスリット１１ｈに嵌合している。ロッド９のレバー部９ｃはスリット１１ｈを跨ぐ角度位置にあり、また、レバー部９ｃはスリット１１ｈを跨げる長さを有する。
また、ＵＳＢ端子体１２のノブ６は、図１５及び図１６に示すように幅拡張部１１ｂ１に係合している。
開閉ユニットＫＵがこの端子格納位置にある状態での撮像装置５０は図１に示される。
【００３３】
＜移動途中段階１＞（図１７参照）
ユーザがノブ６を押し込んでロックを解除し、ノブ６をスリット１１ｂに沿って矢印ＤＲ２５方向に移動させると、丸ボス１２ａはスリット１１ｈ内を移動しロッド９のレバー部９ｃに接近する。
図１７は、丸ボス１２ａがレバー部９ｃに当接する直前まで接近した状態を示している。この状態では、係合段部８ｃは、まだスリット１１ｂの奧側の幅拡張部１１ｂ２に到達していない（係合していない）。
接続部１２Ｔは、端子カバー５のリブ５ｃ（図１７では不図示）に当接して端子カバー５を跳ね上げるように図１７の矢印ＤＲ５方向に回動させる。
ＵＳＢ端子体１２がこの位置（移動途中段階１）にあると、丸ボス１２ａはレバ部９ｃにまだ当接していないので、レバー部９ｃ及びスライダ１０は格納位置から移動していない。
ロッド９のレバー部９ｃは、端子３に対し支点部９ｂよりも遠くに位置する。
開閉ユニットＫＵがこの移動途中段階１にある状態での撮像装置５０は図２に示される。
【００３４】
＜移動途中段階２＞（図１８参照）
移動途中段階１から、ユーザがノブ６を幅拡張部１１ｂ２に向け移動させると、丸ボス１２ａがレバー部９ｃに当接する。
ユーザが、ノブ６をねじりコイルバネ１４の付勢力に抗して更に移動させると、ロッド９は反時計回りに回動する。図１８ではロッド９はその姿勢が軸方向にほぼ直交する姿勢となるまで回動している。
この回動に伴い、長孔部９ｅに係合した係合ボス１０ｃが端子３から離れる方向（図１８の矢印ＤＲ６の方向）に直線移動するので、スライダ１０に連結された端子カバー５も矢印ＤＲ６の方向に移動する。
スリーブ１１の天面１１ｔには、筒の延伸方向に延在する一対のリブ１１ｊ（図１７も参照）が形成されていて、ねじりコイルバネ１３の付勢力により、端子カバー５はリブ１１ｊに向け付勢されつつリブ１１ｊの天面上を摺動しつつ矢印ＤＲ６の方向に直線移動する。開閉ユニットＫＵが撮像装置５０に搭載された状態では、端子カバー５は筐体１の内部へと引き込まれる。
【００３５】
＜端子突出位置＞（図１９参照）
移動途中段階２から、ユーザが更にノブ６を移動させると、係合段部８ｃが幅拡張部１１ｂ２に係合して（図１５参照）ＵＳＢ端子体１２の移動が規制される。すなわち、ロックされる。
係合ボス１０ｃはレバー部９ｃを更に反時計回りに回動させる。レバー部９ｃは、端子３に対し支点部９ｂよりも近くに位置する。
この位置で端子カバー５はその全体がリブ１１ｊに乗り上げた状態になる。すなわち、端子カバー５の末端部５ｍは、少なくともスリーブ１１の開口端１１ｋから矢印Ａ側に突出することなく内側に位置する。
端子３は、完全に突出した位置にある。開閉ユニットＫＵが撮像装置５０に搭載された状態では、端子３が相手となるコネクタに支障なく挿入できるよう突出している。
端子３を相手側コネクタに挿入する際の挿入抵抗力とねじりコイルバネ１４の付勢力との合力に抗する係止力が発揮されるよう、係合段部８ｃと幅拡張部１１ｂ２との係合寸法が余裕をもって設定される。
開閉ユニットＫＵがこの端子突出位置にある状態での撮像装置５０は図３に示される。
【００３６】
端子の没動作については、上述した手順を逆に実行することで行われる。
すなわち、ノブ６を、端子３が没状態となる方向に移動させることによりロッド９を回動させ、その回動により端子カバー５を直動させてリブ１１ｊから外れて回動可能な突出位置まで移動させる。更にノブ６を移動させることで端子３がスリーブ１１内に格納されるに伴い、閉じ方向に付勢されている端子カバー５が自動的に端子出入り口を閉状態にする。
【００３７】
撮像装置５０に開閉ユニットＫＵを搭載するに当たっては、トップカバー７を、図５及び図１７〜図１９に示したトップカバー７を取りはずした状態の開閉ユニットＫＵに対して装着して搭載する。
これは、ロッド９などの部品外れを防止すると共に、製品組み立て時の取り扱いを容易にするためである。
トップカバー７の内面に対し、スライダ１０の当接部１０ｄ１，１０ｄ２及びロッド９の当接部９ｇがわずかに隙間を有して位置するか、または摺動させるように各部材の寸法を設定する。各当接部１０ｄ１，１０ｄ２，９ｇの先端部は球面形状なので、仮に摺動させても接触抵抗は極めて少なく、各部材の移動に影響を与えることはない。
図４に示されるように、端子カバー５は、スリーブ１１のリブ１１ｊとトップカバー７との間に格納される。
従って、各当接部１０ｄ１，１０ｄ２，９ｇの高さを、端子カバー５の厚さを考慮し端子カバー５が格納可能でありつつ可能な限り低く設定することで、開閉ユニットＫＵの高さ（厚さ）を精度よく低く（薄く）することができる。
換言するならば、各当接部を設けたことでトップカバー７とスリーブ１１のリブ１１ｊとの間の距離が一定になるので、端子カバー５を格納する厚さ方向スペースを確実に最小限に確保することが可能となり、開閉ユニットＫＵの厚さを精度よく薄型化することができる。
【００３８】
以上、詳述した実施例の端子カバー開閉構造によれば、端子の出没動作に伴い端子カバーを開閉できる。その端子カバーの開閉を、回動動作と直動動作とを連続的に行い、端子の出入り方向と端子カバーの出入り方向とを逆方向とすることで、端子を筐体から突出させる動作でおのずと端子カバーを筐体内に格納することでき、外観上の動作品位が極めて良好となる。また、ユーザが端子カバーを単独で開閉する必要はない。
回動動作と直動動作とは完全に独立して連続的に行われなくてもよい。回動動作の途中から直動動作も並行実行されてよい。その場合は、回動中心が直動動作に伴い移動する構造となる。
【００３９】
本発明の実施例は、上述した構成及び手順に限定されるものではなく、本発明の要旨を逸脱しない範囲において変形例としてもよいのは言うまでもない。
実施例において、電子機器が撮像装置の例を説明したが、電子機器は撮像装置に限るものではない。ＵＳＢ端子または他の端子を備えた電子機器であれば種類は限定されない。
付勢手段をねじりコイルバネとして説明したが、ねじりコイルバネに限るものではない。他種のコイルバネやコイルバネ以外の弾性部材を付勢手段として用いてもよい。
実施例の電子機器は、端子３（接続部１２Ｔ）の種類がＵＳＢに限らない。他のコネクタなどであってよい。また、端子３（接続部１２Ｔ）を介して信号が外部に出力されるものに限らない。電子回路部ＤＫにより端子３（接続部１２Ｔ）を介して外部から信号を受信するよう構成されたものでよい。もちろん端子３（接続部１２Ｔ）を介して電力が供給されるものでもよい。
【符号の説明】
【００４０】
１  筐体
１ａ  正面
１ｂ  右側面
１ｂｔ  底面
２  撮像レンズ
２Ａ  撮像素子
３  端子（ＵＳＢ）
４  出入り口
５  端子カバー
５ａ１，５ａ２  嵌合孔
５ｂ  軸嵌合部
５ｃ  リブ
５ｍ  末端部
６  ノブ
７  トップカバー
７ｋ  基部
７ａ  固定鍔
７ｂ，７ｃ，７ｄ  開口部
８  ノブ部
８ｂ  首部
８ｃ  係合段部
９  ロッド
９ａ  貫通孔
９ｂ  支点部
９ｃ  レバー部
９ｄ  リンク部
９ｅ  長孔部
９ｆ  フック部
９ｇ  当接部
１０  スライダ
１０ａ，１０ｂ  棒状軸部
１０ｃ  係合ボス
１０ｄ１，１０ｄ２  当接部
１１  スリーブ
１１ａ  固定鍔
１１ａ１  孔
１１ｂ  スリット
１１ｂ１，１１ｂ２  幅拡張部
１１ｆ  ボス
１１ｇ  リブ
１１ｋ  開口端
１１ｔ  天面
１１ｂｔ  底面
１２  ＵＳＢ端子体
１２ａ  丸ボス
１２ｂ  リード
１２Ｃ  ケーシング部
１２ｄ  スリット
１２ｅ  弾性片部
１２ｅｓ  表面
１２Ｔ  接続部
１３  ねじりコイルばね
４１  ボタン
５０  電子機器（撮像装置）
ＤＫ  電子回路部
ＫＵ  開閉ユニット
【図１】
0005338771.tif 000002
【図２】
0005338771.tif 000003
【図３】
0005338771.tif 000004
【図４】
0005338771.tif 000005
【図５】
0005338771.tif 000006
【図６】
0005338771.tif 000007
【図７】
0005338771.tif 000008
【図８】
0005338771.tif 000009
【図９】
0005338771.tif 000010
【図１０】
0005338771.tif 000011
【図１１】
0005338771.tif 000012
【図１２】
0005338771.tif 000013
【図１３】
0005338771.tif 000014
【図１４】
0005338771.tif 000015
【図１５】
0005338771.tif 000016
【図１６】
0005338771.tif 000017
【図１７】
0005338771.tif 000018
【図１８】
0005338771.tif 000019
【図１９】
0005338771.tif 000020